(57)【要約】【課題】作業終了予定時刻満了でかつ作業員がエレベータ作業現場に居ない時に作業灯を消灯するエレベータの作業灯自動消灯システムを得る。【解決手段】作業灯を有するエレベータ作業現場と、保守用携帯端末と、保守用携帯端末から送信された内容を登録し、エレベータ作業現場に作業灯の消灯信号を送信する情報センターとから構成され、エレベータ作業現場は、作業灯の消灯信号を受信すると、作業灯の消灯回路を操作させて作業灯の消灯を実行し、保守用携帯端末は、エレベータアクセスナンバーと作業終了予定時刻とを登録して情報センターに送信し、情報センターは、作業員の位置情報をエレベータアクセスナンバーと関連付けて登録し、作業終了予定時刻が経過した時点で、作業員の位置情報と登録時の作業現場の位置情報との距離関係が、設定値以上離れている場合、消灯信号を遠隔にてエレベータ作業現場に送信する。【選択図】図１
2014189372.tif 000002
【特許請求の範囲】
【請求項１】
作業開始時に点灯され、作業終了時に消灯される作業灯を有するエレベータ作業現場と、
作業員が所持し、ＧＰＳ機能と作業届機能とを有する保守用携帯端末と、
前記保守用携帯端末から送信された作業届の内容を受信して登録し、作業終了時に前記エレベータ作業現場に向けて遠隔にて作業灯の消灯信号を送信するエレベータ保守会社の情報センターと、から構成されるエレベータの作業灯消灯システムであって、
前記エレベータ作業現場は、前記情報センターからの作業灯の消灯信号を受信すると、作業灯の消灯回路を操作させて作業灯の消灯を実行し、
前記保守用携帯端末は、作業届機能によりエレベータ固有のアクセスナンバーと作業終了予定時刻とを登録して前記情報センターに送信し、
前記情報センターは、受信した前記保守用携帯端末のＧＰＳ機能の位置情報を作業員の位置情報としてエレベータのアクセスナンバーと関連付けて登録し、前記エレベータ作業現場の作業終了予定時刻が経過した時点で、作業員の位置情報と登録時のエレベータ作業現場の位置情報との距離関係が、予め設定された設定値以上離れている場合、作業灯を消灯させる消灯信号を遠隔にて前記エレベータ作業現場に送信することを特徴とするエレベータの作業灯自動消灯システム。
【請求項２】
エレベータ作業現場は、情報センターからの作業灯の消灯信号を受信すると、全自動で、運転方向も呼びも無く、ドアが全閉している状態の時に作業灯の消灯回路を操作させて作業灯の消灯を実行することを特徴とする請求項１記載のエレベータの作業灯自動消灯システム。
【請求項３】
保守用携帯端末は、作業届機能によりエレベータ固有のアクセスナンバーと作業員識別情報と作業終了予定時刻とを登録して情報センターに送信し、前記情報センターから作業灯の消灯信号がエレベータ作業現場に送信されたことが通知されることを特徴とする請求項１又は請求項２記載のエレベータの作業灯自動消灯システム。
【請求項４】
情報センターは、エレベータ作業現場の作業終了予定時刻が経過した時点で、作業員の位置情報と登録時のエレベータ作業現場の位置情報との距離関係が、予め設定された設定値以下である場合は、保守用携帯端末に対し、作業時間延長を実施する通知を送信することを特徴とする請求項１〜請求項３のいずれかに記載のエレベータの作業灯自動消灯システム。
【請求項５】
エレベータ作業現場で作業開始時に点灯され、作業終了時に消灯される作業灯に代えて、作業開始時に点灯され、作業終了時に消灯されるのものをピット灯としたことを特徴とする請求項１〜請求項４のいずれかに記載のエレベータのピット灯自動消灯システム。
【発明の詳細な説明】
【技術分野】
【０００１】
この発明は、エレベータの作業灯自動消灯システムに関するものである。
【背景技術】
【０００２】
エレベータのかご上、かご下に設けられている作業灯や、ピットに設けられているピット灯は、点灯も消灯も作業員の手動操作によって行われているので、作業が終了しても、消し忘れた状態のままで放置されることがある。この消し忘れを防止するために、点灯から一定時間経過後にタイマー動作によって消灯させるもの（例えば、特許文献１参照）、消灯操作をしないと、操作盤の蓋が閉まらず、消灯操作を促すもの（例えば、特許文献２参照）が知られている。
【先行技術文献】
【特許文献】
【０００３】
【特許文献１】特開平６−１０７３８４号公報
【特許文献２】特開平１０−５３３８０号公報
【発明の概要】
【発明が解決しようとする課題】
【０００４】
特許文献１記載のものでは、作業員の行動とは無関係に一定時間経過後に、不用意に消灯するので、未だ作業中で点灯が必要な状態であっても突然に消灯してしまうという問題がある。また、特許文献２記載のものでは、安全のため作業中は、第三者の操作防止を目的に操作盤の蓋を閉めておく必要があるが、これができないという問題ある。
【０００５】
この発明は、上述のような課題を解決するためになされたもので、作業終了予定時刻満了でかつ作業員がエレベータ作業現場に居ない時に作業灯を消灯させるエレベータの作業灯自動消灯システムを提供するものである。
【課題を解決するための手段】
【０００６】
この発明に係るエレベータの作業灯自動消灯システムにおいては、作業開始時に点灯され、作業終了時に消灯される作業灯を有するエレベータ作業現場と、作業員が所持し、ＧＰＳ機能と作業届機能とを有する保守用携帯端末と、保守用携帯端末から送信された作業届の内容を受信して登録し、作業終了時にエレベータ作業現場に向けて遠隔にて作業灯の消灯信号を送信するエレベータ保守会社の情報センターとから構成されるものであって、
エレベータ作業現場は、情報センターからの作業灯の消灯信号を受信すると、作業灯の消灯回路を操作させて作業灯の消灯を実行し、保守用携帯端末は、作業届機能によりエレベータ固有のアクセスナンバーと作業終了予定時刻とを登録して情報センターに送信し、情報センターは、受信した保守用携帯端末のＧＰＳ機能の位置情報を作業員の位置情報としてエレベータのアクセスナンバーと関連付けて登録し、エレベータ作業現場の作業終了予定時刻が経過した時点で、作業員の位置情報と登録時のエレベータ作業現場の位置情報との距離関係が、予め設定された設定値以上離れている場合、作業灯を消灯させる消灯信号を遠隔にてエレベータ作業現場に送信するものである。
【０００７】
また、エレベータ作業現場は、情報センターからの作業灯の消灯信号を受信すると、全自動で、運転方向も呼びも無く、ドアが全閉している状態の時に作業灯の消灯回路を操作させて作業灯の消灯を実行するものである。
【０００８】
また、保守用携帯端末は、作業届機能によりエレベータ固有のアクセスナンバーと作業員識別情報と作業終了予定時刻とを登録して情報センターに送信し、情報センターから作業灯の消灯信号がエレベータ作業現場に送信されたことが通知されるものである。
【０００９】
また、情報センターは、エレベータ作業現場の作業終了予定時刻が経過した時点で、作業員の位置情報と登録時のエレベータ作業現場の位置情報との距離関係が、予め設定された設定値以下である場合は、保守用携帯端末に対し、作業時間延長を実施する通知を送信するものである。
【００１０】
また、エレベータ作業現場で作業開始時に点灯され、作業終了時に消灯される作業灯に代えて、作業開始時に点灯され、作業終了時に消灯されるのものをピット灯としたものである。
【発明の効果】
【００１１】
この発明によれば、作業終了予定時刻満了で、かつ作業員がエレベータ作業現場に居ないことが判るため、作業灯を消灯できる状況であることを確実に検出でき、未だ作業中で点灯が必要な状態であっても突然に消灯してしまうという問題を解決することができる。また、消灯必要時には消灯されるので、作業灯の消し忘れを確実に防止することができ、省エネとなる。
【図面の簡単な説明】
【００１２】
【図１】この発明の実施例１におけるエレベータの作業灯自動消灯システムの全体構成を示すシステム構成図である。
【図２】この発明の実施例１におけるエレベータの作業灯自動消灯システムの処理を説明するためのフローチャートである。
【発明を実施するための形態】
【００１３】
実施例１.
図１はこの発明の実施例１におけるエレベータの作業灯自動消灯システムの全体構成を示すシステム構成図、図２はエレベータの作業灯自動消灯システムの処理を説明するためのフローチャートである。
【００１４】
図１において、エレベータの作業灯自動消灯システムは、作業員がエレベータの保守作業を行うエレベータ作業現場１と、作業員が所持している携帯電話、スマートフォン等の保守用携帯端末２と、エレベータ保守会社の情報センター３とから構成されている。エレベータ作業現場１のエレベータのかご上にはかご上作業灯が設けられ、かご下にはかご下作業灯が設けられている。エレベータ作業現場１では、情報センター３から遠隔信号で作業灯を消灯させる消灯信号を受信すると、その受信後に全自動で、運転方向も呼びも無く、ドアが全閉している状態の時に作業灯の消灯回路を操作させて、作業灯の消灯を実行する。なお、既に作業員の手動操作によって、作業灯が消灯されていた場合でも、消灯信号は動作させるが、既に消灯しているために作業灯の状態は特に変化はしないので、問題ない。また、保守用携帯端末２は、情報センターメニューを有しており、作業員はエレベータ現場での作業開始前に、作業灯の点灯の有無にかかわらず、携帯端末の専用アプリケーションから「作業届」を実施し、エレベータ固有のアクセスナンバー（認識番号）と作業員の識別情報と作業終了予定時刻を登録し、情報センター３に情報を送信する。また、保守用携帯端末２は、情報センター３から、作業灯の消灯信号がエレベータ作業現場１に送信されたことがメールにて通知される。また、エレベータ保守会社の情報センター３は、保守用携帯端末２から情報送信された「作業届」を受信しコンピュータに登録する。同時に作業員の位置情報が、受信した携帯端末２のＧＰＳ機能による位置情報としてエレベータのアクセスナンバーと関連付けて登録される。更に地図画面上に「位置情報あり」を表示する。情報センター３は、「作業届」が登録されたエレベータ作業現場１に対して、作業終了予定時刻が経過した時点で、「作業届」を登録した作業員の位置情報、すなわち所持している携帯端末２のＧＰＳ機能による位置情報が、登録時のエレベータ作業現場１の位置情報から任意に設定できる距離（例えば、初期値は１００ｍ）以上離れているか否かを検出する。そして、作業員の携帯端末２の位置情報と登録時のエレベータ作業現場１の位置情報との距離関係が、予め設定された設定値以上離れている場合、作業員が現地に居ないことが判るため、作業員の携帯端末２に作業灯の消灯信号の送信を通知（メール）した後、作業灯を消灯させる消灯信号を遠隔にてエレベータ作業現場１に信号送信する。なお、作業終了予定時刻が経過した時点でも、作業員の携帯端末２の位置情報と登録時のエレベータ作業現場１の位置情報との距離関係が、予め設定された設定値以下が継続されている場合は、作業員の携帯端末２に対し、作業時間延長を実施する旨の通知（メール）を送信する。  
【００１５】
次に、エレベータの作業灯自動消灯システムの処理について、図２により説明する。
図２において、作業員はエレベータ作業現場１での作業を開始する前に、作業灯の点灯の有無にかかわらず、携帯端末２の専用アプリケーションから「作業届」を実施し、エレベータ固有のアクセスナンバー（認識番号）と作業員の識別情報と作業終了予定時刻を登録する（ステップＳ１）。次に、登録された「作業届」は、情報センター３に送信される（ステップＳ２）。情報センター３は「作業届」を受信しコンピュータに登録し、同時に作業員の位置情報が、受信した携帯端末２のＧＰＳ機能による位置情報としてエレベータのアクセスナンバーと関連付けて登録され、更に地図画面上に「位置情報あり」を表示する（ステップＳ３）。次に、作業員がエレベータ作業現場１で作業を開始する（ステップＳ４）。この時、かご上作業灯及びかご下作業灯が点灯されることになる。作業が進むと、情報センター３は、予め登録された作業終了予定時刻が経過したか否かを判断する（ステップＳ５）。そして、予め登録された作業終了予定時刻が経過すると、作業員の位置情報、すなわち所持している携帯端末２のＧＰＳ機能による位置情報と、登録時のエレベータ作業現場１の位置情報との距離関係が設定値以上離れているか否かを判断する（ステップＳ６）。そして、両者の距離関係が設定値以上離れている場合は、作業員の作業が終了してエレベータ作業現場１に作業員が居ないものと判断し、作業員の携帯端末２に作業灯の消灯信号の送信を通知（メール）した後、作業灯を消灯させる消灯信号を遠隔にてエレベータ作業現場１に信号送信する（ステップＳ７）。エレベータ作業現場１では、消灯信号の受信後に全自動で、運転方向も呼びも無く、ドアが全閉している状態の時に作業灯の消灯回路を操作させて、作業灯の消灯を実行する。（ステップＳ８）。これにより、作業終了予定時刻満了で、かつ作業員がエレベータ作業現場１に居ないことが判るため、作業灯を消灯できる状況であることを確実に検出できる。したがって、未だ作業中で点灯が必要な状態であっても突然に消灯してしまうという問題を解決することができる。また、消灯必要時には消灯されるので、作業灯の消し忘れを確実に防止することができ、省エネとなる。
なお、ステップＳ６で、作業員の携帯端末２の位置情報と登録時のエレベータ作業現場１の位置情報との距離関係が、予め設定された設定値以下の場合は、作業員が未だ作業中であると判断し、作業員の携帯端末２に対し、作業時間延長を実施する旨の通知（メール）を送信する（ステップＳ９）。その後、作業員の作業が終了し、両者の距離関係が設定値以上離れた場合、延長されていた作業が終了してエレベータ作業現場１に作業員が居なくなったものと判断し、作業員の携帯端末２に作業灯の消灯信号の送信を通知（メール）した後、作業灯を消灯させる消灯信号を遠隔にてエレベータ作業現場１に信号送信し（ステップＳ７）、エレベータ作業現場１では、消灯信号の受信後に全自動で、運転方向も呼びも無く、ドアが全閉している状態の時に作業灯の消灯回路を操作させて、作業灯の消灯を実行する（ステップＳ８）。これにより、作業終了予定時刻満了時点で、未だ作業が終了しなかった場合には、作業員の携帯端末２に対し、作業時間延長を実施する旨の通知（メール）を送信するので、作業員は安心して延長作業を実施することができる。
【００１６】
実施例２.
上記実施例１では、エレベータ作業現場１のかご上作業灯及びかご下作業灯を自動消灯させるシステムについて説明したが、エレベータ作業現場１のピット灯を自動消灯させるシステムに変更しても良いし、また、エレベータ作業現場１のメンテナンススイッチの切り忘れを防止するためのシステムに変更しても良い。
【符号の説明】
【００１７】
１  エレベータ作業現場
２  携帯端末
３  エレベータ保守会社の情報センター
【図１】
2014189372.tif 000003
【図２】
2014189372.tif 000004